(57)【要約】【課題】医療用処理トレイ内にワイヤ状部材を確実に、かつ、簡便な構成により浸漬させることを可能とする、医療処理用クリップを提供する。【解決手段】この医療処理用クリップ１は、カーテーテル、ガイドワイヤ等のワイヤ状部材３００の医療用処理トレイ２００からの飛び出しを上方から押え付けるため、医療用処理トレイ２００の側壁２０１の上端部領域に対して、着脱可能に取付けられる。【選択図】        図１
2004321642.tif 000002
【特許請求の範囲】
【請求項１】
医療処理を行なうための医療用処理トレイの側壁に着脱可能に取り付けられるクリップであって、
前記医療用処理トレイの側壁の上端部領域に係合する頭部領域（１Ａ）と、
前記頭部領域に対して連続して設けられ、前記医療用処理トレイの内部深さ方向に延びるように設けられる脚部領域（１Ｂ）と、
を備える、医療処理用クリップ。
【請求項２】
前記頭部領域（１Ａ）は、前記医療用処理トレイの側壁の上端部領域を挟み込む構造を有し、
前記医療用処理トレイの側壁から内方に遠ざかる方向に沿った厚さにおいて、
前記脚部領域（１Ｂ）の厚さは、前記頭部領域（１Ａ）側よりも、前記医療用処理トレイの内部深さ方向側の厚さの方が、大きくなるように設けられる、
請求項１に記載の医療処理用クリップ。
【請求項３】
前記頭部領域（１Ａ）は、断面が略Ｕ字形状からなり、
一端側に前記脚部領域（１Ｂ）が連続するように設けられ、
他端側の先端領域には、内方に向くカエリ領域（１ｄ）が設けられる、
請求項１または２に記載の医療処理用クリップ。
【発明の詳細な説明】
【０００１】
【発明の属する技術分野】
この発明は、医療処理用クリップに関し、医療用処理トレイ内にワイヤ状部材を確実に、かつ、簡便な構成により浸漬させることを可能とする、医療処理用クリップの構造に関する。
【０００２】
【従来の技術】
従来、医療現場においては、医療処理を行なうため、様々な医療用処理トレイが用いられている。図４は、血管造影検査に用いられる医療用処理トレイ２００Ａを示す全体斜視図であり、この医療用処理トレイ２００Ａは、血管造影検査に使用されるカーテーテル、ガイドワイヤ等のワイヤ状部材３００を、検査までの間、一時的に洗浄したり、ガイドワイヤー等がスムーズにカテーテル内を動く様に、内部に生理食塩水２０３を張った状態にして、ワイヤ状部材３００を浸漬させておくために用いられる。特に親水性カテーテルを用いる場合は、必要な処理である。
【０００３】
ワイヤ状部材３００は長尺でるため、図４に示すように、丸めて医療用処理トレイ２００Ａ内に浸漬させるが、それ自身にある程度の弾性を有している。そこで、ワイヤ状部材３００の医療用処理トレイ２００Ａからの飛び出しを防止するため、医療用処理トレイ２００Ａの側壁２０１の所定領域には、内方に向かって突出する押えリブ２０２が複数箇所に設けられている。
【０００４】
なお、以上本願に係る発明についての従来の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【０００５】
【発明が解決しようとする課題】
ここで、上記医療用処理トレイ２００Ａは、使い捨ての出来る安価な物なので、比較的薄いポリプロピレンを用いて真空成形により成形され、内方に向かって突出する押えリブ２０２も同時に成形されるが、内方に向かって突出する領域を設けるためには、金型側に特殊な機構を設ける必要が生じる。
【０００６】
また、上記医療用処理トレイ２００Ａの形態は、突出する領域が有るため、上記医療用処理トレイ２００Ａを隙間無く重ねられず、製造後の保管時の効率が悪い。
【０００７】
そこで、金型のコストアップを回避する観点、および、製造後の保管時の効率を改善する観点から、図５に示す医療用処理トレイ２００Ｂの構造の採用も考えられる。この医療用処理トレイ２００Ｂにおいては、医療用処理トレイ２００Ｂの側壁２０１の上端部２０５の所定領域に係合孔２０５ｈを設け、この係合孔２０５ｈに係合ピン２１１を嵌合して、押えプレート２１０を着脱可能に固定し、ワイヤ状部材３００の飛び出しを防止しようとするものである。
【０００８】
しかし、この医療用処理トレイ２００Ｂにおいては、ワイヤ状部材３００を常に生理食塩水２０３に浸漬させておくためには、医療用処理トレイ２００Ｂの上面部近傍にまで生理食塩水２０３を満たす必要がある。
【０００９】
したがって、この発明は上記課題を解決するためになされたものであり、医療用処理トレイ内にワイヤ状部材を確実に、かつ、簡便な構成により浸漬させることを可能とする、医療処理用クリップを提供することを目的とする。
【００１０】
【課題を解決するための手段】
上記目的を達成するため、この発明に基づいた医療処理用クリップにおいては、医療処理を行なうための医療用処理トレイの側壁に着脱可能に取り付けられるクリップであって、上記医療用処理トレイの側壁の上端部領域に係合する頭部領域と、上記頭部領域に対して連続して設けられ、上記医療用処理トレイの内部深さ方向に延びるように設けられる脚部領域とを備えている。
【００１１】
この構造からなる医療処理用クリップを医療用処理トレイの側壁に取付けた場合、脚部領域において、カーテーテル、ガイドワイヤ等のワイヤ状部材の医療用処理トレイからの飛び出しを押え付けることができる。また、この脚部領域は医療用処理トレイの内部深さ方向に延びるように設けられることから、ワイヤ状部材を生理食塩水に浸漬させる場合において、必要最小限の生理食塩水の使用を可能とする。
【００１２】
さらに、この医療処理用クリップの場合、医療用処理トレイに対して、特にトレイの大きさを選ばずに着脱可能な構成であるため、従来の医療用処理トレイに適用することも可能である。また、従来の医療用処理トレイに一体的に形成されていた押えリブの成形も不要となることから、医療用処理トレイの製造コストの上昇を抑制することが可能になる。
【００１３】
【発明の実施の形態】
以下、この発明に基づいた実施の形態における医療処理用クリップ１について、図１〜図３を参照しながら説明する。なお、図１は、本実施の形態における医療処理用クリップ１の使用状態を示す斜視図であり、図２は、図１中ＩＩ−ＩＩ線矢視断面図であり、図３は、本医療処理用クリップ１の構造を示す全体斜視図である。
【００１４】
（医療処理用クリップ１の使用状態）
この医療処理用クリップ１は、図１に示すように、医療用処理トレイ２００の側壁２０１の上端部領域に対して、着脱可能に取付けることを可能としている。図１に示す医療用処理トレイ２００には、医療用処理トレイ２００の剛性を高めるために側壁２０１に、医療用処理トレイ２００の深さ方向に延び、外方に突出する凹部領域２０２が複数設けられ、この凹部領域２０２に沿って医療処理用クリップ１が取付けられている。なお、特に取付け場所を選ばずに、凹部領域２０２以外の側壁２０１に取付けることも可能である。
【００１５】
（医療処理用クリップ１の構造）
ここで、図３を参照して、本実施の形態における医療処理用クリップ１の構造の一例について説明する。この医療処理用クリップ１は、医療用処理トレイ２００の側壁２０１の上端部領域に係合する頭部領域１Ａと、この頭部領域１Ａに対して連続して設けられ、医療用処理トレイ２００の内部深さ方向に延びるように設けられる脚部領域１Ｂとを有している。
【００１６】
頭部領域１Ａは、医療用処理トレイ２００の側壁２０１の上端部領域を挟み込むために、断面が略Ｕ字形状領域１ｂからなり、一方領域１ｃの先端領域には、内方に向くカエリ領域１ｄが設けられている。
【００１７】
また、Ｕ字形状領域１ｂの他方領域１ａには脚部領域１Ｂが設けられ、この他方領域１ａにおいては、医療用処理トレイ２００の側壁２０１から内方に遠ざかる方向に沿った厚さにおいて、脚部領域１Ｂの厚さは、頭部領域１Ａ側の厚さ（ｔ）よりも、医療用処理トレイ２００の内部深さ方向側の厚さ（Ｔ）の方が、大きくなるように設けられている。この医療処理用クリップ１の場合には、脚部領域１Ｂにおいて、他方領域１ａの先端側には厚肉領域１ｅが設けられている。なお、この医療処理用クリップ１の材質としては、ポリプロピレン等の軟質プラスチックを使用し、寸法としては、ｈ＝約４５ｍｍ、ｔ＝約４ｍｍ、Ｔ＝約１０ｍｍ、Ｗ＝約１０ｍｍ程度である。
【００１８】
（作用・効果）
図２に示すように、側壁２０１に本実施の形態における医療処理用クリップ１を取付けた場合、医療用処理トレイ２００の側壁２０１の上端部に設けられるカール部２０１ａの一端側に、頭部領域１Ａのカエリ部１ｄが係合しながら、頭部領域１Ａが弾性的にカール部２０１ａを抱き込むことにより、医療処理用クリップ１自体が医療用処理トレイ２００の側壁２０１に固定される。また、脚部領域１Ｂが、医療用処理トレイ２００の深さ方向に延びるように配設されるため、厚肉領域１ｅの底面１ｆにおいて、カーテーテル、ガイドワイヤ等のワイヤ状部材３００の医療用処理トレイ２００からの飛び出しを上方から押え付けることができる。また、この脚部領域１Ｂは医療用処理トレイ２００の内部深さ方向に延びるように配設されていることから、ワイヤ状部材３００を生理食塩水２０３に浸漬させる場合において、必要最小限の生理食塩水の使用を可能としている。また、医療処理用クリップ１は、頭部領域１Ａの弾性力に基づき側壁２０１の上端部に取付けられていることから、所定の外力を加えることで、側壁２０１から医療処理用クリップ１を容易に取り外すことも可能である。
【００１９】
また、本実施の形態においては、医療用処理トレイ２００に設けられた凹部領域２０２に沿って医療処理用クリップ１が取付けられていることから、凹部領域２０２の底部には、ワイヤ状部材３００が接触しないため、医療処理用クリップ１と医療用処理トレイ２００の側壁２０１との間へのワイヤ状部材３００の回り込みを阻止することを可能としている。
【００２０】
なお、上記医療処理用クリップ１の形状は、医療用処理トレイ２００に対して最適な形状の一例を示すものであり、使用される医療用処理トレイの形状に応じて適宜変更することが可能である。また、医療処理用クリップ１の使用を明確にするため、医療用処理トレイ２００とは異なる色を着色しておくことも可能である。
【００２１】
したがって、今回開示された実施の形態はすべての点で例示であって、制限的に解釈されるものではない。本発明の技術的範囲は、上記実施の形態ではなく特許請求の範囲によって画定されるように、医療用処理トレイの側壁の上端部領域に係合する頭部領域と、この頭部領域に対して連続して設けられ、医療用処理トレイの内部深さ方向に延びるように設けられる脚部領域とを備える医療処理用クリップの構造に向けられるものであり、また、特許請求の範囲と均等の意味および範囲内でのすべての変更が含まれることが意図されるものである。
【００２２】
【発明の効果】
この発明に基づいた医療処理用クリップによれば、医療用処理トレイ内にワイヤ状部材を確実に、かつ、簡便な構成により浸漬させることを可能とするとともに、医療用処理トレイの製造コストの上昇を抑制することを可能とする。
【図面の簡単な説明】
【図１】この発明に基づいた実施の形態における医療処理用クリップの使用状態を示す斜視図である。
【図２】図１中ＩＩ−ＩＩ線矢視断面図である。
【図３】この発明に基づいた実施の形態における医療処理用クリップの構造を示す全体斜視図である。
【図４】従来の医療用処理トレイの使用状態を示す斜視図である。
【図５】従来の医療用処理トレイの使用状態を示す断面図である。
【符号の説明】
１  医療処理用クリップ、１Ａ  頭部領域、１Ｂ  脚部領域、１ａ  他方領域、１ｂ  Ｕ字形状領域、１ｃ  一方領域、１ｄ  カエリ領域、１ｅ  厚肉領域、１ｆ  底面、２００  医療用処理トレイ、２０１  側壁、２０１ａ  カール部、２０２  凹部領域。
【図１】
2004321642.tif 000003
【図２】
2004321642.tif 000004
【図３】
2004321642.tif 000005
【図４】
2004321642.tif 000006
【図５】
2004321642.tif 000007